(57)【要約】【課題】設置コストおよび運転コストを低減することができる空気攪拌装置を提供する。【解決手段】ケーシング１１が、室内６に設けられ、送風ダクト５に接続可能な接続口２１と、吹出口２２と空気取入口２３とを有している。空調風車１３が、ケーシング１１の内部に設けられ、空調装置の送風ダクト５から室内６に送風される空調空気により回転可能になっている。上流側ガイド筒１２が、空調空気を空調風車１３に誘導するよう、接続口２１に取り付けられている。下流側ガイド筒１６が、空調風車１３の下流側で空調空気を吹出口２２に誘導するよう設けられている。室内ファン１４が、ケーシング１１の内部に設けられ、空調風車１３の回転とともに回転可能になっている。室内ファン１４は、室内６の空気を空気取入口２３からケーシング１１の内部に取り入れて、空調風車１３の下流側で空調空気と混合されるよう、吹出口２２に送風可能である。【選択図】図１
2007163089.tif 000002
【特許請求の範囲】
【請求項１】
室内に空調空気を送る送風ダクトとともに使用される空気攪拌装置であって、
空調風車と室内ファンとを有し、
前記空調風車は前記送風ダクトから前記室内に送風される前記空調空気により回転可能に設けられ、
前記室内ファンは前記空調風車の回転とともに回転し、前記空調風車の下流側で前記空調空気と混合されるよう送風可能に設けられていることを、
特徴とする空気攪拌装置。
【請求項２】
室内に空調空気を送る送風ダクトとともに使用される空気攪拌装置であって、
ケーシングと空調風車と上流側ガイド筒と下流側ガイド筒と室内ファンとを有し、
前記ケーシングは前記室内に設けられ、前記送風ダクトに接続可能な接続口と、吹出口と空気取入口とを有し、
前記空調風車は前記ケーシングの内部に、前記送風ダクトから前記室内に送風される前記空調空気により回転可能に設けられ、
前記上流側ガイド筒は前記送風ダクトから送風される前記空調空気を前記空調風車に誘導するよう前記接続口に取り付けられ、
前記下流側ガイド筒は前記空調風車の下流側で前記空調空気を前記吹出口に誘導するよう設けられ、
前記室内ファンは前記ケーシングの内部に設けられ、前記空調風車の回転とともに回転し、前記室内の空気を前記空気取入口から前記ケーシングの内部に取り入れ、前記空調空気と混合されるよう前記吹出口から送風可能であることを、
特徴とする空気攪拌装置。
【請求項３】
前記室内ファンは前記空調風車の外側に、前記空調風車の回転軸と同軸で回転可能に、前記空調風車と一体的に設けられ、
前記空調風車と前記室内ファンとの間に隔壁を有することを、
特徴とする請求項１または２記載の空気攪拌装置。
【請求項４】
送風ダクトから室内に送風される空調空気により空調風車を回転させ、
前記空調風車の回転とともに室内ファンを回転させて、前記空調風車の下流側で前記空調空気と混合されるよう送風することを、
特徴とする空気攪拌方法。
【発明の詳細な説明】
【技術分野】
【０００１】
本発明は空気攪拌装置および空気攪拌方法に関する。
【背景技術】
【０００２】
従来の室内空気攪拌装置として、シロッコファンをファンモーターにより回転させて、空気を攪拌するものがある（例えば、特許文献１参照）。
【０００３】
【特許文献１】特開２００３−３２８９８３号公報
【発明の開示】
【発明が解決しようとする課題】
【０００４】
しかしながら、従来の空気攪拌装置は、ファンモーターを使用するため、その材料コストとともに電気配線工事のコストを必要とし、設置コストが嵩むという課題があった。また、電気を使用するため、電気代による運転コストが嵩むという課題もあった。
【０００５】
本発明は、このような課題に着目してなされたもので、設置コストおよび運転コストを低減することができる空気攪拌装置および空気攪拌方法を提供することを目的としている。
【課題を解決するための手段】
【０００６】
上記目的を達成するために、本発明に係る空気攪拌装置は、室内に空調空気を送る送風ダクトとともに使用される空気攪拌装置であって、空調風車と室内ファンとを有し、前記空調風車は前記送風ダクトから前記室内に送風される前記空調空気により回転可能に設けられ、前記室内ファンは前記空調風車の回転とともに回転し、前記空調風車の下流側で前記空調空気と混合されるよう送風可能に設けられていることを、特徴とする。
【０００７】
本発明に係る空気攪拌方法は、送風ダクトから室内に送風される空調空気により空調風車を回転させ、前記空調風車の回転とともに室内ファンを回転させて、前記空調風車の下流側で前記空調空気と混合されるよう送風することを、特徴とする。
【０００８】
本発明に係る空気攪拌装置および空気攪拌方法は、送風ダクトから室内に空調空気が送られると、その空調空気により空調風車が回転し、空調風車の回転とともに室内ファンが回転する。これにより、室内ファンが、空調風車の下流側で室内の空気を空調空気と混合されるよう送風するため、空調空気のみまたは室内の空気のみで攪拌する場合に比べ、短時間で室内の空気の温度・湿度むらを減少させ、均一化を図ることができる。
【０００９】
電気を使用することなく、室内ファンを回転して室内の空気を攪拌することができるため、ファンモーターの購入や電気配線工事が不要で、設置コストを低減することができる。また、電気代を節約することができ、運転コストを低減することもできる。
【００１０】
本発明に係る空気攪拌装置は、室内に空調空気を送る送風ダクトとともに使用される空気攪拌装置であって、ケーシングと空調風車と上流側ガイド筒と下流側ガイド筒と室内ファンとを有し、前記ケーシングは前記室内に設けられ、前記送風ダクトに接続可能な接続口と、吹出口と空気取入口とを有し、前記空調風車は前記ケーシングの内部に、前記送風ダクトから前記室内に送風される前記空調空気により回転可能に設けられ、前記上流側ガイド筒は前記送風ダクトから送風される前記空調空気を前記空調風車に誘導するよう前記接続口に取り付けられ、前記下流側ガイド筒は前記空調風車の下流側で前記空調空気を前記吹出口に誘導するよう設けられ、前記室内ファンは前記ケーシングの内部に設けられ、前記空調風車の回転とともに回転し、前記室内の空気を前記空気取入口から前記ケーシングの内部に取り入れ、前記空調空気と混合されるよう前記吹出口から送風可能であることが好ましい。この場合、上流側ガイド筒および下流側ガイド筒により、空調風車を通る空調空気、および室内ファンが送風する室内の空気を、互いに流れを乱されることなく、スムーズに送風することができる。
【００１１】
本発明に係る空気攪拌装置で、前記室内ファンは前記空調風車の外側に、前記空調風車の回転軸と同軸で回転可能に、前記空調風車と一体的に設けられ、前記空調風車と前記室内ファンとの間に隔壁を有していてもよい。この場合、空調空気により空調風車が回転すると、空調風車と一体的に設けられた室内ファンが、空調風車と同軸および同じ回転数で回転する。これにより、空調空気の送風量の増減に応じて空調風車の回転数が増減すると、室内ファンの回転数も増減するため、空調空気の送風量を調節することにより、室内への混合された空気の送風量を調節することができる。隔壁により、空調風車を通る空調空気、および室内ファンが送風する室内の空気を、互いに流れを乱されることなく、スムーズに送風することができる。
【発明の効果】
【００１２】
本発明によれば、設置コストおよび運転コストを低減することができる空気攪拌装置および空気攪拌方法を提供することができる。
【発明を実施するための最良の形態】
【００１３】
以下、図面に基づき、本発明の実施の形態について説明する。
図１乃至図３は、本発明の実施の形態の空気攪拌装置を示している。なお、本発明の実施の形態の空気攪拌方法は、その空気攪拌装置により実施される方法である。
図１に示すように、空気攪拌装置１０は、ケーシング１１と上流側ガイド筒１２と空調風車１３と室内ファン１４と隔壁１５と下流側ガイド筒１６と外形筒１７と整流格子１８とを有している。
【００１４】
図２に示すように、空気攪拌装置１０は、空調装置とともに使用される。空調装置は、天井裏１に設けられ、空調機本体２と空調ダクト３とチャンバーボックス４と送風ダクト５とを有している。空調装置は、空調機本体２が室内６の空気を吸い込み、空調空気を空調ダクト３からチャンバーボックス４を介して送風ダクト５に送り、室内６に送風するようになっている。
【００１５】
図１に示すように、ケーシング１１は、上板１１ａとカバー部材１１ｂとを有し、上板１１ａで室内６の天井７に固定されている。ケーシング１１は、上板１１ａに接続口２１を有し、カバー部材１１ｂの下部に吹出口２２を有し、カバー部材１１ｂの側部に４つの空気取入口２３を有している。ケーシング１１は、接続口２１の周囲の上板１１ａで空調装置の送風ダクト５に接続されている。また、ケーシング１１は、各空気取入口２３より下方の、カバー部材１１ｂの内側面から中央部に向かってすり鉢状に傾斜した傾斜面２４と、傾斜面２４の中心に設けられた円形の風車取付孔２５を有している。
【００１６】
図１に示すように、上流側ガイド筒１２は、円筒形状を成し、中心軸が上下方向に向くよう、ケーシング１１の内部で上板１１ａの接続口２１に取り付けられている。上流側ガイド筒１２は、下端部１２ａが風車取付孔２５の中央付近に位置するよう設けられている。
【００１７】
図３に示すように、空調風車１３は、４枚羽根の羽根車から成り、上流側ガイド筒１２の径とほぼ同じ外径を有している。室内ファン１４は、７枚羽根で、空調風車１３の外側に、空調風車１３と一体的に設けられている。室内ファン１４は、空調風車１３の回転軸と同軸で、空調風車１３の回転とともに回転し、同じ方向に送風可能になっている。隔壁１５は、上流側ガイド筒１２と同じ径の円筒形状を成し、内側に空調風車１３、外側に室内ファン１４が位置するよう、空調風車１３と室内ファン１４との間に設けられている。
【００１８】
図１に示すように、空調風車１３、室内ファン１４および隔壁１５は、空調風車１３および室内ファン１４の回転軸が上下方向に向き、隔壁１５が上流側ガイド筒１２の下端部１２ａに近接するよう、ケーシング１１の内部の風車取付孔２５に取り付けられている。空調風車１３、室内ファン１４および隔壁１５は、上流側ガイド筒１２からその中心軸の延長線に向かって斜め下方に伸びた支持金具（図示せず）により、空調風車１３の回転軸がスムーズに回転するよう支持されている。
【００１９】
こうして、上流側ガイド筒１２が送風ダクト５から送風される空調空気を空調風車１３に誘導し、空調風車１３がその空調空気により回転可能になっている。室内ファン１４は、室内６の空気を空気取入口２３からケーシング１１の内部に取り入れ、傾斜面２４に沿って誘導し、空調空気と混合されるよう吹出口２２から室内６に送風可能になっている。
【００２０】
下流側ガイド筒１６は、上流側ガイド筒１２と同じ径の円筒形状を成し、ケーシング１１の内部に設けられている。下流側ガイド筒１６は、空調風車１３の下流側で空調空気を吹出口２２に誘導するよう、隔壁１５に近接して設けられている。
【００２１】
図１に示すように、外形筒１７は、室内ファン１４の外径よりやや大きい径の円筒形状を成し、ケーシング１１の内部に設けられている。外形筒１７は、下流側ガイド筒１６の外側で、室内ファン１４の下方空間を包囲するよう設けられている。外形筒１７は、室内ファン１４の下流側で室内ファン１４から送風される空気を吹出口２２に誘導するようになっている。
【００２２】
図１に示すように、整流格子１８は、ケーシング１１の内部で、下流側ガイド筒１６および外形筒１７の下部に取り付けられている。整流格子１８は、下流側ガイド筒１６からの空調空気、および外形筒１７からの空気を、吹出口２２からまっすぐ下方に送風するよう設けられている。
【００２３】
次に、作用について説明する。
空気攪拌装置１０および空気攪拌方法は、空調装置が送風ダクト５から室内６に空調空気を送ると、その空調空気により空調風車１３が回転し、空調風車１３の回転とともに、空調風車１３と一体的に設けられた室内ファン１４が空調風車１３と同軸および同じ回転数で回転する。これにより、室内ファン１４が、室内６の空気を空気取入口２３からケーシング１１の内部に取り入れ、傾斜面２４に沿って誘導し、空調空気と混合されるよう吹出口２２から送風する。このため、空調空気のみまたは室内６の空気のみで攪拌する場合に比べ、短時間で室内６の空気の温度・湿度むらを減少させ、均一化を図ることができる。また、これにより、空調装置の消費電力を減らすことができ、運転コストを低減することができる。
【００２４】
電気を使用することなく、室内ファン１４を回転して室内６の空気を攪拌することができるため、ファンモーターの購入や電気配線工事が不要で、設置コストを低減することができる。また、電気代を節約することができ、運転コストを低減することもできる。
【００２５】
空調空気の送風量の増減に応じて空調風車１３の回転数が増減すると、室内ファン１４の回転数も増減するため、空調装置による空調空気の送風量を調節することにより、室内６への混合された空気の送風量を調節することができる。また、上流側ガイド筒１２、隔壁１５、下流側ガイド筒１６および外形筒１７により、空調風車１３を通る空調空気、および室内ファン１４が送風する室内６の空気を、互いに流れを乱されることなく、スムーズに送風することができる。
【図面の簡単な説明】
【００２６】
【図１】本発明の実施の形態の空気攪拌装置を示す縦断面図である。
【図２】図１に示す空気攪拌装置の使用状態を示す斜視図である。
【図３】図１に示す空気攪拌装置の空調風車、室内ファンおよび隔壁を示す平面図である。
【符号の説明】
【００２７】
１    天井裏
２    空調機本体
３    空調ダクト
４    チャンバーボックス
５    送風ダクト
６    室内
７    天井
１０  空気攪拌装置
１１  ケーシング
１２  上流側ガイド筒
１３  空調風車
１４  室内ファン
１５  隔壁
１６  下流側ガイド筒
１７  外形筒
１８  整流格子
２１  接続口
２２  吹出口
２３  空気取入口
２４  傾斜面
２５  風車取付孔
【図１】
2007163089.tif 000003
【図２】
2007163089.tif 000004
【図３】
2007163089.tif 000005